【手続補正書】
【提出日】平成20年5月27日(2008.5.27)
【手続補正１】
【補正対象書類名】特許請求の範囲
【補正対象項目名】全文
【補正方法】変更
【補正の内容】
【特許請求の範囲】
【請求項１】
遊技の制御を行う主制御手段と、前記主制御手段により制御される遊技についてその演出のための演出画像情報を表示する第１表示ユニットと、前記主制御手段の指示に基づいて前記第１表示ユニットにおける演出画像情報の表示を制御する表示制御手段とを備えた遊技機において、
遊技球が流下する遊技領域と、
その遊技領域に設けられると共に遊技球が入球可能な特定入球口と、
その特定入球口に入球した遊技球を検出するものであって、遊技球を検出した場合には入球信号を前記主制御手段に入力する入球検出手段と、
前記第１表示ユニットとは別で設けられ、前記表示制御手段の制御に依らず前記主制御手段による直接的な制御により情報が表示される第２表示ユニットとを備え、
前記主制御手段は、前記入球検出手段により入球信号が入力された場合、その入力が異常であるか否かを主制御手段が制御する遊技状態に基づいて判断すると共に異常であると判断された場合には異常の発生を示す異常情報を前記第２表示ユニットに表示する異常情報表示手段を備えていることを特徴とする遊技機。
【請求項２】
前記特定入球口への遊技球の入球が通常よりも容易となる開放状態と遊技球の入球が不能になる通常状態とを形成するように可動可能に設けられた第１可動部材を備え、
前記主制御手段は、
始動条件の成立を検出する始動条件検出手段と、
その始動条件検出手段によって前記始動条件の成立が検出された場合に遊技者にとって有利な遊技価値の付与抽選を行う抽選手段とを備え、
その抽選手段によって遊技者にとって有利な遊技価値を付与する抽選結果が導出されると、前記第１可動部材を駆動させて開放状態を形成するものであり、
前記異常情報表示手段は、前記入球検出手段により前記主制御手段に入球信号が入力された場合に、前記第１可動部材が通常状態を形成していると、入球信号の入力は異常であると判断して異常情報を前記第２表示ユニットに表示するものであることを特徴とする請求項１記載の遊技機。
【請求項３】
前記特定入球口への遊技球の入球が通常よりも容易となる開放状態と遊技球の入球が開放状態に比べて困難となる通常状態とを形成するように可動可能に設けられた第２可動部材を備え、
前記主制御手段は、
始動条件の成立を検出する始動条件検出手段と、
その始動条件検出手段によって前記始動条件の成立が検出された場合に遊技者にとって有利な遊技価値の付与抽選を行う抽選手段とを備え、
その抽選手段によって遊技者にとって有利な遊技価値を付与する抽選結果が導出されると、前記第２可動部材を駆動させて開放状態を形成するものであり、
前記異常情報表示手段は、前記入球検出手段により前記主制御手段に入球信号が入力された場合に、前記第２可動部材が通常状態を形成していることに基づいて入球信号の入力異常を判断し異常情報を前記第２表示ユニットに表示するものであることを特徴とする請求項１記載の遊技機。
【請求項４】
前記特定入球口の近傍であって前記特定入球口よりも遊技球の移動経路の上流側に配設され前記特定入球口へ遊技球を案内する案内部材と、
その案内部材により案内される遊技球を検出する案内検出手段と、
前記第２可動部材により通常状態が形成されていると、前記案内部材にて案内される遊技球のみ前記特定入球口へ入球させ、前記案内部材に案内されない他の遊技球については前記特定入球口への入球を制限する入球制限手段とを備え、
前記異常情報表示手段は、前記入球検出手段により前記主制御手段に入球信号が入力された場合に前記入球制限手段により入球が制限されていると、前記案内検出手段にて遊技球が非検出であることにより、入球信号の入力を異常であると判断して、異常情報を前記第２表示ユニットに表示するものであることを特徴とする請求項３に記載の遊技機。
【請求項５】
前記第２表示ユニットは、点灯または消灯する複数の表示灯を備え、
前記主制御手段は、前記複数の表示灯の点灯と消灯とによって形成される発光パターンにより前記第２表示ユニットに情報を表示するものであることを特徴とする請求項１から４のいずれかに記載の遊技機。
【手続補正２】
【補正対象書類名】明細書
【補正対象項目名】０００６
【補正方法】変更
【補正の内容】
【０００６】
この目的を達成するために請求項１記載の遊技機は、遊技の制御を行う主制御手段と、前記主制御手段により制御される遊技についてその演出のための演出画像情報を表示する第１表示ユニットと、前記主制御手段の指示に基づいて前記第１表示ユニットにおける演出画像情報の表示を制御する表示制御手段とを備え、更に、遊技球が流下する遊技領域と、その遊技領域に設けられると共に遊技球が入球可能な特定入球口と、その特定入球口に入球した遊技球を検出するものであって、遊技球を検出した場合には入球信号を前記主制御手段に入力する入球検出手段と、前記第１表示ユニットとは別で設けられ、前記表示制御手段の制御に依らず前記主制御手段による直接的な制御により情報が表示される第２表示ユニットとを備え、前記主制御手段は、前記入球検出手段により入球信号が入力された場合、その入力が異常であるか否かを主制御手段が制御する遊技状態に基づいて判断すると共に異常であると判断された場合には異常の発生を示す異常情報を前記第２表示ユニットに表示する異常情報表示手段を備えている。
請求項２記載の遊技機は、請求項１記載の遊技機において、前記特定入球口への遊技球の入球が通常よりも容易となる開放状態と遊技球の入球が不能になる通常状態とを形成するように可動可能に設けられた第１可動部材を備え、前記主制御手段は、始動条件の成立を検出する始動条件検出手段と、その始動条件検出手段によって前記始動条件の成立が検出された場合に遊技者にとって有利な遊技価値の付与抽選を行う抽選手段とを備え、その抽選手段によって遊技者にとって有利な遊技価値を付与する抽選結果が導出されると、前記第１可動部材を駆動させて開放状態を形成するものであり、前記異常情報表示手段は、前記入球検出手段により前記主制御手段に入球信号が入力された場合に、前記第１可動部材が通常状態を形成していると、入球信号の入力は異常であると判断して異常情報を前記第２表示ユニットに表示するものである。
なお、請求項２記載の遊技機における第１可動部材としては、例えば、実施の形態における特定入賞口６５ａを覆う横長矩形状の開閉板が該当する。
請求項３記載の遊技機は、請求項１記載の遊技機において、前記特定入球口への遊技球の入球が通常よりも容易となる開放状態と遊技球の入球が開放状態に比べて困難となる通常状態とを形成するように可動可能に設けられた第２可動部材を備え、前記主制御手段は、始動条件の成立を検出する始動条件検出手段と、その始動条件検出手段によって前記始動条件の成立が検出された場合に遊技者にとって有利な遊技価値の付与抽選を行う抽選手段とを備え、その抽選手段によって遊技者にとって有利な遊技価値を付与する抽選結果が導出されると、前記第２可動部材を駆動させて開放状態を形成するものであり、前記異常情報表示手段は、前記入球検出手段により前記主制御手段に入球信号が入力された場合に、前記第２可動部材が通常状態を形成していることに基づいて入球信号の入力異常を判断し異常情報を前記第２表示ユニットに表示するものである。
なお、請求項３記載の遊技機における第２可動部材としては、例えば、実施の形態における第１入球口６４の上側部分に形成された２の揺動部材が該当する。
請求項４記載の遊技機は、請求項３記載の遊技機において、前記特定入球口の近傍であって前記特定入球口よりも遊技球の移動経路の上流側に配設され前記特定入球口へ遊技球を案内する案内部材と、その案内部材により案内される遊技球を検出する案内検出手段と、前記第２可動部材により通常状態が形成されていると、前記案内部材にて案内される遊技球のみ前記特定入球口へ入球させ、前記案内部材に案内されない他の遊技球については前記特定入球口への入球を制限する入球制限手段とを備え、前記異常情報表示手段は、前記入球検出手段により前記主制御手段に入球信号が入力された場合に前記入球制限手段により入球が制限されていると、前記案内検出手段にて遊技球が非検出であることにより、入球信号の入力を異常であると判断して、異常情報を前記第２表示ユニットに表示するものである。
なお、請求項４記載における入球制限手段としては、例えば、実施の形態において、上側通過口６４０がその軸方向の中心線が第１入球口６４の上部の開放口（球の入球口）の中心に一致するように配設され、第１入球口６４が通常の状態にある場合に、遊技盤１３を流下した球が、上側通過口６４０を通過しなければ第１入球口６４に入球できないように、上側通過口６４０と第１入球口６４との位置関係が規定されている構成が該当する。
請求項５記載の遊技機は、請求項１から４のいずれかに記載の遊技機において、前記第２表示ユニットは、点灯または消灯する複数の表示灯を備え、前記主制御手段は、前記複数の表示灯の点灯と消灯とによって形成される発光パターンにより前記第２表示ユニットに情報を表示するものである。
【手続補正３】
【補正対象書類名】明細書
【補正対象項目名】００１０
【補正方法】変更
【補正の内容】
【００１０】
更に、第２表示ユニットに不具合が発生した場合は、その不具合の原因を解明する必要がある。第２表示ユニットは、第２表示ユニットに情報を出力する側である主制御手段に直接的に制御されるので、両者間の電気的配線（接続ライン）は、他の制御装置を介さずに、第２表示ユニットと主制御手段とを直接接続して形成することができる。従って、両者間の電気的配線（接続ライン）を簡素に（複雑に入り組まないように）することができ、作業者が、第２表示ユニットの不具合の検証（接続ラインにおける不具合の検証）を行うことを容易とすることができるという効果がある。言い換えれば、不具合の原因解明をおこなうための作業を簡便にし、作業者の労力を軽減することができるという効果がある。
請求項２記載の遊技機によれば、請求項１記載の遊技機の奏する効果に加え、可動可能に設けられた第１可動部材によって、特定入球口への遊技球の入球が通常よりも容易となる開放状態と、遊技球の入球が不能となる通常状態とが形成される。つまり、第１可動部材の状態に応じて特定入球口への遊技球の入球が許可される。主制御手段においては、始動条件の成立が始動条件検出手段により検出されると、抽選手段により、遊技者にとって有利な遊技価値の付与抽選が行われる。その結果、遊技者にとって有利な遊技価値を付与する抽選結果が導出されると、第１可動部材が駆動され、特定入球口への遊技球の入球が容易となる開放状態が形成される。ここで、入球検出手段により主制御手段に入球信号が入力された場合、第１可動部材が通常状態を形成していると、異常情報表示手段により、入力された入球信号は異常であると判断され、異常情報が第２表示ユニットに表示される。よって、入球信号が異常であることの判断を第１可動部材が通常状態を形成していることを指標として行うことができ、異常の判断を的確かつ厳密なものとして、第２表示ユニットに異常情報を適切に表示することができるという効果がある。
また、例えば、遊技者にとって有利な遊技価値を付与する抽選結果が導出されると、遊技状態は、通常よりも遊技者にとって有利な状態となる。この有利な状態は所定期間継続し（当たり期間）、かかる当たり期間中に第１可動部材は開放状態を形成して、特定入球口への遊技球の入球を容易とする。ここで、例えば、かかる当たり期間中、第１可動部材が常時開放状態を形成するのではなく、断続的に（通常状態と交互に）開放状態を形成するように遊技機が構成されている場合、単純に、遊技状態を指標として入球信号に対する異常の判断を行うと、実際には異常であるにも関わらず、異常と判断できない場合が生じてしまう。しかし、請求項２記載の遊技機によれば、同じ遊技状態であっても第１可動部材が通常状態にある場合（特定入球口への遊技球の入球が不能な場合）には、入球信号の入力を異常と判断することができるので、特定入球口への遊技球の入球が不能な状態にある場合に発生した入球信号を異常として処理することができる。つまり、実際に異常が発生した場合には、確実に異常として処理することができるという効果がある。
請求項３記載の遊技機によれば、請求項１記載の遊技機の奏する効果に加え、可動可能に設けられた第２可動部材によって、特定入球口への遊技球の入球が通常よりも容易となる開放状態と、遊技球の入球が困難となる通常状態とが形成される。つまり、第２可動部材の状態によって特定入球口への遊技球の入球の容易さが変更される。主制御手段においては、始動条件の成立が始動条件検出手段により検出されると、抽選手段により、遊技者にとって有利な遊技価値の付与抽選が行われる。その結果、遊技者にとって有利な遊技価値を付与する抽選結果が導出されると、第２可動部材が駆動され、特定入球口への遊技球の入球が容易となる開放状態が形成される。ここで、入球検出手段により主制御手段に入球信号が入力された場合、異常情報表示手段により、第２可動部材が通常状態を形成していることに基づいて入球信号の入力異常が判断され、異常情報が第２表示ユニットに表示される。よって、入球信号が異常であることの判断を第２可動部材が通常状態を形成していることを指標として行うことができ、異常の判断を的確かつ厳密なものとして、第２表示ユニットに異常情報を適切に表示することができるという効果がある。
請求項４記載の遊技機によれば、請求項３記載の遊技機の奏する効果に加え、第２可動部材が通常状態を形成し、特定入球口への遊技球の入球が困難な状態にあれば、入球制限手段によって、案内部材にて案内される遊技球のみが特定入球口へ入球され、案内部材に案内されない他の遊技球については、特定入球口への入球が制限される。案内部材により案内される遊技球は、案内検出手段により検出される。入球検出手段により主制御手段に入球信号が入力された場合に、入球制限手段により入球が制限されていると、案内検出手段にて遊技球が非検出であること（即ち、案内検出手段にて遊技球が検出されないこと）により、異常情報表示手段にて、入球信号の入力は異常であると判断され、異常情報が第２表示ユニットに表示される。よって、入球信号の入力が異常であるか否かを厳密に判断でき、その判断結果に基づいて、的確に異常情報を表示することができるという効果がある。
また、特定入球口が、通常状態において遊技球の入球困難となるように形成されている場合は、特定入球口への遊技球の入球は不能ではなく、通常状態においてもある程度の遊技球の入球が容認されている。かかる場合には、特定入球口が通常状態にあることにより画一的に入球信号の入力を異常とすることができない。一方で、主制御手段に入力された入球信号を、特定入球口が通常状態にあっても異常と判断しない場合には、本来異常である入球信号についても異常と判断できないという矛盾が生じてしまう。しかし、請求項４記載の遊技機によれば、特定入球口が通常状態にある場合には、入球経路を制限すると共に、入球可能な正規のルートを経由して特定入球口に入球する遊技球を案内検出手段によって検出することができる。従って、主制御手段に入球信号が入力された場合に、特定入球口が通常状態であっても、この案内検出手段による遊技球の検出結果に基づいて、正当な入球に起因したものと否であるものとを区別することができる。故に、的確に、異常を判断することができるという効果がある。
請求項５記載の遊技機によれば、請求項１から４のいずれかに記載の遊技機の奏する効果に加え、複数の表示灯の点灯と消灯とによって形成される発光パターンにより、第２表示ユニットに情報が表示される。よって、液晶表示装置やＣＲＴディスプレイなどの高度な表示装置に比べ単純な構成であり装置コストが安価である表示灯を用いて第２表示ユニットを形成でき遊技機の製造コストを低減することができるという効果がある。
【手続補正４】
【補正対象書類名】明細書
【補正対象項目名】０３１１
【補正方法】変更
【補正の内容】
【０３１１】
１０              パチンコ機（遊技機）
３７              第１図柄表示装置（第２表示ユニット）
６４              第１入球口（特定入球口）
６５ａ            特定入賞口、大開放口（特定入球口）
８１              第３図柄表示装置（第１表示ユニット）
１１０            主制御装置（主制御手段）
１１４            表示制御装置（表示制御手段）
２０８            上側通過口スイッチ（入球検出手段の一部）
２０８ａ          上側通過口スイッチ（入球検出手段の一部、案内検出手段）
３３０            表示ＬＥＤ（表示灯）
６４０            上側通過口（案内部材）
Ｓ２０７          メイン処理（始動条件検出手段の一部、抽選手段の一部）
Ｓ５０４，Ｓ５０７，Ｓ５０８，Ｓ５１０  タイマ割込処理（異常情報表示手段）
Ｓ６０１          始動入賞処理（始動条件検出手段の一部）
Ｓ６０４          始動入賞処理（抽選手段の一部）